(57)【要約】【課題】カメラボディの背面に大きな画像表示部を確保しながらも、優れた操作性を有し、誤操作を防ぐカメラを提供する。【解決手段】カメラボディ１２の正面、上面、及び側面の少なくとも一方に設けられた複数の操作スイッチ３２の一部又は全部の配置が、カメラボディ１２の背面に設けられ、撮影時のスルー画像７８、又は記録された再生画像１２２、１５２を表示する表示部３４に表示される。よって、カメラボディ１２の背面に大きな表示部３４を確保することができる。また、操作スイッチ３２の配置が表示部３４に表示されるので、事前に覚えていなくても操作スイッチ３４の配置を把握して操作することができる。よって、操作性が向上し、誤操作を防止することができる。【選択図】図５
2007221384.tif 000002
【特許請求の範囲】
【請求項１】
カメラボディの正面、上面、及び側面の少なくとも一方に設けられた複数の操作スイッチと、
前記カメラボディの背面に設けられ、撮影時のスルー画像、又は記録された再生画像を表示する表示部と、を有し、
前記複数の操作スイッチの一部又は全部の配置を前記表示部に表示する、
ことを特徴とするカメラ。
【請求項２】
カメラボディの正面に設けられたレンズ鏡筒と、
前記レンズ鏡筒に設けられた複数の操作スイッチと、
前記カメラボディの背面に設けられ、撮影時のスルー画像、又は記録された再生画像を表示する表示部と、を有し、
前記複数の操作スイッチの一部又は全部の配置を前記表示部に表示する、
ことを特徴とするカメラ。
【請求項３】
前記カメラボディに脱着及び交換可能なレンズ鏡筒を有し、
該レンズ鏡筒の種類に応じて、前記複数の操作スイッチの一部又は全部の配置を前記表示部に表示する、
ことを特徴とする請求項１に記載のカメラ。
【請求項４】
前記操作スイッチの表面には、前記操作スイッチへの接触を検知する接触センサーが設けられ、
前記複数の操作スイッチの一部又は全部の配置の表示と共に、接触した操作スイッチを他の操作スイッチと区別して表示する、
ことを特徴とする請求項１〜請求項３の何れか１項に記載のカメラ。
【請求項５】
前記スルー画像と共に前記表示部に表示される操作スイッチと、前記再生画像と共に前記表示部に表示される操作スイッチとが異なる、
ことを特徴とする請求項１〜請求項４の何れか１項に記載のカメラ。
【請求項６】
前記再生画像が縮小して表示され、前記表示部に表示される操作スイッチと干渉しない位置に配置される、
ことを特徴とする請求項１〜請求項５の何れか１項に記載のカメラ。
【請求項７】
前記複数の操作スイッチの１つであるシャッタースイッチが半押しされ、撮影準備状態になったときに、
前記シャッタースイッチ以外の操作スイッチを非表示とし、前記シャッタースイッチ以外の操作スイッチの機能を無効とする、
ことを特徴とする請求項１〜請求項６の何れか１項に記載のカメラ。
【発明の詳細な説明】
【技術分野】
【０００１】
本発明は、カメラボディの背面に、撮影時のスルー画像、又は記録された再生画像を表示する表示部を有するカメラに関する。
【背景技術】
【０００２】
カメラボディの背面に設けられ、撮影時のスルー画像や記録された再生画像を表示する液晶モニターは大型化されてきているが、これにより、操作スイッチ類を配置するためのカメラボディ背面のスペースが小さくなってきている。
【０００３】
この限られた小さなスペースに、必要なすべての操作スイッチ類を配置しようとして操作スイッチ類を小さくすると、操作性が悪くなってしまう。また、カメラボディの背面以外のスペースに操作スイッチ類を設けた場合、撮影はカメラのファインダーや液晶モニターを見ながら行うので、操作スイッチ類を直接見て操作することができない。よって、操作が難しく、誤操作も起きやすくなってしまう。
【０００４】
従来技術としては、図１７に示すような、カメラボディ３０１の背面に光学ファインダー３０２と、タッチパネルが設けられた液晶表示装置３０４とを有するデジタルカメラ３００がある（特許文献１）。撮影者が光学ファインダー３０２を覗くと、光学ファインダー３０２付近に設けられた接眼検出部３０６がこれを検知し、液晶表示装置３０４の表示を停止する。そして、液晶表示装置３０４が図１８に示すようなタッチパネルに切り替わり、操作スイッチ３０８が機能するようになる。さらに、光学ファインダー３０２内の液晶表示３１０は図１９に示すような表示になり、操作内容を視認することができる。このように特許文献１は、撮影時には適切な大きさの操作スイッチ３０８を操作できるようにして操作性向上や誤操作防止を図ったものである。
【０００５】
しかし、タッチパネルの操作スイッチ３０８は、どの辺りを触っているのかがわかりにくく、操作性向上や誤操作防止の十分な効果を得ることはできない。また、光学ファインダーが設けられていないカメラや、光学ファインダーを見ずにカメラボディの背面に設けられた液晶モニターを見ながら撮影を行う場合には適用できない。
【０００６】
また、図２０に示すような、タッチパネル式の操作ボタン３１４を備えた画像表示部３１６がカメラボディ３１３背面のほぼ全面に配置されているデジタルカメラ３１２がある（特許文献２）。撮影した画像を再生するときには、図２０（Ａ）に示すように、画像３１８Ａは画像表示部３１６いっぱいに表示される。そして、撮影するときには、図２０（Ｂ）のように、把持する指Ｆ１や操作ボタン３１４に干渉しないように、画像３１８Ｂは小さな表示となる。このように特許文献２は、大きな画像表示部３１６をデジタルカメラ３１２の背面に設け、画像再生時には大きな画面３１８Ａを表示することができ、撮影時には画像３１８Ｂを小さく表示することによってデジタルカメラ３１２の把持を確実に行えるものである。
【０００７】
しかし、撮影時に表示される画像は、操作ボタン３１４に干渉しない大きさに限られてしまい、十分な大きさの画像を表示することができない。撮影時には画枠やピントを合わせるので、表示される画像は大きい方が望ましく、小さな画像３１８Ｂでは視認性が悪くなってしまう。
【特許文献１】特開２００４−１６５９３４号公報
【特許文献２】特開２００４−２３５８１号公報
【発明の開示】
【発明が解決しようとする課題】
【０００８】
本発明は係る事実を考慮し、カメラボディの背面に大きな画像表示部を確保しながらも、優れた操作性を有し、誤操作を防ぐカメラを提供することを課題とする。
【課題を解決するための手段】
【０００９】
請求項１に記載の発明は、カメラボディの正面、上面、及び側面の少なくとも一方に設けられた複数の操作スイッチと、前記カメラボディの背面に設けられ、撮影時のスルー画像、又は記録された再生画像を表示する表示部と、を有し、前記複数の操作スイッチの一部又は全部の配置を前記表示部に表示する、ことを特徴としている。
【００１０】
請求項１に記載の発明では、複数の操作スイッチが、カメラボディの正面、上面、及び側面の少なくとも一方に設けられている。さらに、カメラボディの背面には、撮影時のスルー画像、又は記録された再生画像を表示する表示部が設けられている。そして、この表示部には複数の操作スイッチの一部又は全部の配置が表示される。
【００１１】
このように、複数の操作スイッチはカメラボディの正面、上面、及び側面の少なくとも一方に設けられているので、カメラボディの背面に大きな表示部を確保することができる。また、撮影時においても、表示部に表示されるスルー画像は小さくならないので、視認性を損なうことがない。
【００１２】
また、表示部が設けられていないカメラボディの正面、上面、及び側面の少なくとも一方のスペースには、適切な大きさの操作スイッチを設けることができるので、操作スイッチの操作性が悪くならない。
【００１３】
さらに、表示部を見ているときには直接見ることができないカメラボディの正面、上面、及び側面の少なくとも一方に操作スイッチが設けられていても、その操作スイッチの配置が表示部に表示されるので、事前に覚えていなくても操作スイッチの配置を把握して操作することができる。よって、操作性が向上し、誤操作を防止することができる。
【００１４】
よって、請求項１に記載の発明は、カメラの操作性を向上し、誤操作を防止できるものであり、特に小型のカメラにおいて優れた効果を発揮するものである。
【００１５】
請求項２に記載の発明は、カメラボディの正面に設けられたレンズ鏡筒と、前記レンズ鏡筒に設けられた複数の操作スイッチと、前記カメラボディの背面に設けられ、撮影時のスルー画像、又は記録された再生画像を表示する表示部と、を有し、前記複数の操作スイッチの一部又は全部の配置を前記表示部に表示する、ことを特徴としている。
【００１６】
請求項２に記載の発明では、複数の操作スイッチが、カメラボディの正面に設けらたレンズ鏡筒に設けられている。さらに、カメラボディの背面には、撮影時のスルー画像、又は記録された再生画像を表示する表示部が設けられている。そして、この表示部には複数の操作スイッチの一部又は全部の配置が表示される。
【００１７】
このように、複数の操作スイッチはレンズ鏡筒に設けられているので、カメラボディの背面に大きな表示部を確保することができる。また、撮影時においても、表示部に表示されるスルー画像は小さくならないので、視認性を損なうことがない。
【００１８】
また、表示部が設けられていないレンズ鏡筒には、適切な大きさの操作スイッチを設けることができるので、操作スイッチの操作性が悪くならない。
【００１９】
さらに、表示部を見ているときには直接見ることができないレンズ鏡筒に操作スイッチが設けられていても、その操作スイッチの配置が表示部に表示されるので、事前に覚えていなくても操作スイッチの配置を把握して操作することができる。よって、操作性が向上し、誤操作を防止することができる。
【００２０】
よって、請求項２に記載の発明は、カメラの操作性を向上し、誤操作を防止できるものであり、特に小型のカメラにおいて優れた効果を発揮するものである。
【００２１】
請求項３に記載の発明は、前記カメラボディに脱着及び交換可能なレンズ鏡筒を有し、該レンズ鏡筒の種類に応じて、前記複数の操作スイッチの一部又は全部の配置を前記表示部に表示する、ことを特徴としている。
【００２２】
請求項３に記載の発明では、カメラボディに脱着及び交換可能なレンズ鏡筒が設けられている。そして、このレンズ鏡筒の種類に応じて、表示部には複数の操作スイッチの一部又は全部の配置が表示される。
【００２３】
よって、レンズ鏡筒の種類に応じた操作スイッチ類を表示することができ、不要な操作スイッチ類は表示されないので、視認性や操作性が向上する。
【００２４】
請求項４に記載の発明は、前記操作スイッチの表面には、前記操作スイッチへの接触を検知する接触センサーが設けられ、前記複数の操作スイッチの一部又は全部の配置の表示と共に、接触した操作スイッチを他の操作スイッチと区別して表示する、ことを特徴としている。
【００２５】
請求項４に記載の発明では、操作スイッチの表面には操作スイッチへの接触を検知する接触センサーが設けられている。そして、表示部には複数の操作スイッチの一部又は全部の配置が表示される。さらに、表示された操作スイッチのうち、接触センサーによって接触を検知された操作スイッチが他の操作スイッチと区別して表示される。
【００２６】
よって、接触している操作スイッチが確実にわかるので、誤操作を防ぐことができ、操作性が向上する。
【００２７】
請求項５に記載の発明は、前記スルー画像と共に前記表示部に表示される操作スイッチと、前記再生画像と共に前記表示部に表示される操作スイッチとが異なる、ことを特徴としている。
【００２８】
請求項５に記載の発明では、表示部に表示される操作スイッチが、スルー画像と再生画像とでは異なっている。
【００２９】
よって、表示された画像（スルー画像、又は再生画像）に応じた操作スイッチを表示することができ、不要な操作スイッチ類は表示されないので、視認性や操作性が向上する。
【００３０】
請求項６に記載の発明は、前記再生画像が縮小して表示され、前記表示部に表示される操作スイッチと干渉しない位置に配置される、ことを特徴としている。
【００３１】
請求項６に記載の発明では、再生画像が縮小して表示される。さらに、その再生画像は、表示部に表示される操作スイッチと干渉しない位置に配置される。
【００３２】
よって、表示部に表示される操作スイッチに邪魔されずに再生画像の全体を見ることができる。撮影時には画枠やピントを合わせるので、表示されるスルー画面は大きい方が望ましいが、再生時には画像全体を確認することが大事なので、再生画像を縮小して表示し、画像全体を見えるようにすることが有効となる。
【００３３】
請求項７に記載の発明は、前記複数の操作スイッチの１つであるシャッタースイッチが半押しされ、撮影準備状態になったときに、前記シャッタースイッチ以外の操作スイッチを非表示とし、前記シャッタースイッチ以外の操作スイッチの機能を無効とする、ことを特徴としている。
【００３４】
請求項７に記載の発明では、シャッタースイッチを半押しするとカメラは撮影準備状態になる。このとき、表示部に表示された操作スイッチのうち、シャッタースイッチ以外の操作スイッチが表示されなくなる。また、シャッタースイッチ以外の操作スイッチの機能が無効となる。
【００３５】
よって、シャッタースイッチを半押しした後の撮影操作には不要となるシャッタースイッチ以外の操作スイッチが表示されない。よって、視認性がよくなり、画枠やピントを合わせやすくなるので、操作性が向上する。
【００３６】
また、シャッタースイッチ以外の操作スイッチの機能が無効となるので、誤操作を防ぐことができる。
【発明の効果】
【００３７】
本発明は上記構成としたので、カメラボディの背面に大きな画像表示部を確保しながらも、優れた操作性を有し、誤操作を防ぐことができる。
【発明を実施するための最良の形態】
【００３８】
図面を参照しながら、デジタルカメラに本発明を適用した例を説明する。なお、本発明はデジタルカメラに限らずに、撮影時のスルー画像、又は記録された再生画像を表示する表示部を有するあらゆるカメラへの適用が可能であり、特に小型化されたカメラに適している。
【００３９】
まず、本発明の第１の実施形態に係るデジタルカメラ１０について説明する。図１、２には、本実施形態のデジタルカメラ１０が示されている。
【００４０】
図１に示されるように、デジタルカメラ１０のカメラボディ１２の正面右側には沈胴式ズームレンズ１４が設けられており、その上方には、ストロボライト１６が備えられている。また、カメラボディ１２の上面左側には、後述する撮影モードにおいて、夜景、風景等の撮影シーンによって撮影方法を切り替えるダイヤルスイッチ１８が設けられ、その右隣には電源スイッチ２０が配置されている。
【００４１】
カメラボディ１２の正面左側の一番上には、スライド式のモード選択スイッチ２２が設けられている。モード選択スイッチ２２の上方に表示されているＣは静止画撮影を行う撮影モード、Ｍは動画撮影を行う動画モード、Ｐは撮影して記録された画像を再生する再生モードを表し、これら３つのモードから１つをモード選択スイッチ２２をスライドさせて選ぶことができる。図１は、動画モードが選ばれている状態であり、矢印Ａの方向にスライドさせれば撮影モードになり、矢印Ｂの方向にスライドさせれば再生モードになる。
【００４２】
モード選択スイッチ２２の直下には、シャッタースイッチ２４が配置され、その下にはズームレバー２６が設けられている。ズームレバー２６の左側に表示されたＴの付近を押し続けるとズーム倍率が徐々に大きくなり、逆に、ズームレバー２６の右側に表示されたＷの付近を押し続けるとズーム倍率が徐々に小さくなる。
【００４３】
ズームレバー２６の直下には、再生モードにて使用する再生ボタン２８があり、その下には、デジタルカメラ１０を操作するためのさまざまなメニューを選択するメニューボタン３０が設けられている。
【００４４】
そして、モード選択スイッチ２２、シャッタースイッチ２４、ズームレバー２６、再生ボタン２８、メニューボタン３０の表面には、接触センサーとして静電式のタッチセンサーが設けられている。
【００４５】
また、図２に示されるように、デジタルカメラ１０のカメラボディ１２の背面には、この背面のほぼ全面を占めるように液晶モニター３４が配置されている。この液晶モニター３４には、撮影及び動画モードのときにはスルー画像が表示され、再生モードのときには再生画像（静止画又は動画）が表示される。また、モード選択スイッチ２２、シャッタースイッチ２４、ズームレバー２６、再生ボタン２８、メニューボタン３０から構成される操作スイッチ類３２の一部又は全部の配置が、スルー画像や再生画像の上にオーバーラップするように表示される。
【００４６】
図３のブロック図に示されるように、デジタルカメラ１０の主な機能的構成は、沈胴式ズームレンズ１４、絞りやズーム調整等を行う駆動モーター類（不図示）を駆動するモータードライバ３６、ＣＣＤ３８、ＡＦＥ４０、信号処理ＩＣ４２、液晶モニター３４、外部メモリ４４、表面にタッチセンサーが設けられている操作スイッチ類３２、ダイヤルスイッチ１８、電源スイッチ２０、ＣＰＵ４６、メモリ４８、ＲＡＭ５０となっている。
【００４７】
デジタルカメラ１０の電源のオン又はオフの操作は、電源スイッチ２０によって行われる。また、操作スイッチ類３２、ダイヤルスイッチ１８によって撮影及び画像再生のための各種操作が行われる。操作スイッチ類３２の操作による検知信号はＣＰＵ４６に送られ、この検知信号に応じて液晶モニター３４に画像や操作スイッチ類３２の配置を表示する。
【００４８】
撮影時には、沈胴式ズームレンズ１４からの撮像情報が、ＣＣＤ３８にて光電変換され、ＡＦＥ４０を介した後に信号処理ＩＣ４２にて画像処理される。そして、その処理結果をスルー画像として液晶モニター３４に表示する。また、記録する画像データは、外部メモリ４４に保存される。
【００４９】
また、画像再生時には、外部メモリ４４に保存された画像データが、再生画像として液晶モニター３４に表示される。
【００５０】
メモリ４８には、操作スイッチ類３２の各操作スイッチの形状、模様、大きさ、配置や操作スイッチに付随して描かれる文字、記号等の情報が記憶されており、スルー画像又は再生画像上にオーバーラップするように操作スイッチ類３２の一部又は全部の配置が表示される。
【００５１】
デジタルカメラ１０の操作のために操作スイッチ類３２に触れると、操作スイッチ類３２の表面に設けられたタッチセンサーがこれを検知し、その検知信号がＣＰＵ４６に送られる。そして、ＣＰＵ４６の判断により、信号処理ＩＣ４２を介して液晶モニター３４に表示された操作スイッチ類３２の配置のうち、接触した操作スイッチのみを強調して表示する。
【００５２】
次に、本発明の第１の実施形態に係るデジタルカメラ１０の作用及び効果について説明する。
【００５３】
図４に示すフローチャートを用いて、デジタルカメラ１０で実行される撮影及び画像再生処理を説明する。なお、説明をわかりやすくするために、モード選択スイッチ２２によって選ばれるのは、撮影モード又は再生モードとする。また、フローチャートは、モード選択スイッチ２２によってモードが選ばれるステップ５２から接触した操作スイッチの表示部が強調して表示されるステップ６４までについてのみ示し、その前後の処理については省略する。
【００５４】
まず、電源スイッチ２０の操作によって、デジタルカメラ１０に電源が入っている状態において、ＣＰＵ４６は、ステップ５２でモード選択スイッチ２２によってどのモードが選択されたかを判断する。そして、撮影モードが選択された場合には、ステップ５４で液晶モニター３４にスルー画像を表示し、再生モードが選択された場合には、ステップ５６で液晶モニター３４に再生画像を表示する。
【００５５】
次に、ステップ５８では、図５（Ａ）に示すように、モード選択スイッチ２２、シャッタースイッチ２４、ズームレバー２６、再生ボタン２８、メニューボタン３０のそれぞれに対応した、モード選択スイッチ表示部６６、シャッタースイッチ表示部６８、ズームレバー表示部７０、再生ボタン表示部７２、メニューボタン表示部７４が、スルー画像又は再生画像にオーバーラップするように表示される。これらの操作スイッチ類の表示部７６の各操作スイッチの形状、模様、大きさ、配置や操作スイッチに付随して描かれている文字、記号等はメモリ４８に記憶されており、ＣＰＵ４６の判断によって、操作スイッチ類の表示部７６の一部又は全部の配置を液晶モニター３４上に表示することができる。
【００５６】
また、操作スイッチ類の表示部７６の各操作スイッチの形状、模様、大きさ、配置や操作スイッチに付随して描かれている文字、記号等は、カメラボディ１２の正面に設けられている操作スイッチ類３２とほぼ同じように表示し、対応する各操作スイッチの真裏に相当する液晶モニター３４上の位置に配置される。よって、モード選択スイッチ表示部６６やズームレバー表示部７０に示されるように、モード選択スイッチ２２のＣとＰの文字やズームレバー２６のＴとＷの文字が左右逆に表示される。これにより、液晶モニター３４に表示された通りに、カメラボディ１２の正面に操作スイッチ類３２が設けられているので、実行したい操作スイッチに容易に触れることができる。
【００５７】
次に、ステップ６０で、モード選択スイッチ表示部６６の選択されたモードが濃い赤色で強調して表示される。本実施形態の操作スイッチ類の表示部７６の色は、赤色や濃い配色にはなっていない。よって、選択されたモードの濃い赤色の表示は、操作スイッチ類の表示部７６の他の部分とはっきり区別され、選択されたモードを認知することができる。図５（Ａ）は、モード選択スイッチ２２によって撮影モードが選ばれ、このモードに相当するモード選択スイッチ表示部６６のＣの文字付近６６Ａが赤色に強調して表示されている例を示している。液晶モニター３４には、ステップ５４によるスルー画像７８が表示されている。
【００５８】
次に、ステップ６２で、操作スイッチ類３２の表面に設けられたタッチセンサーから送られる検知信号によって、ＣＰＵ４６は、接触を受けている操作スイッチ類３２を確認し、接触を受けている操作スイッチがなければこの状態を維持する。そして、操作スイッチへの接触を検知した場合はステップ６４で、操作スイッチ類の表示部７６のうち、その接触を受けた操作スイッチに対応する表示部を濃い赤色で強調して表示する。図５（Ｂ）は、ズームレバー２６によりズーム倍率を小さくするためにＷに触れたときに、ズームレバー表示部７０のＷの文字付近７０Ａが赤色に強調して表示されている例を示している。先ほどのモード選択スイッチ表示部６６のＣ文字付近６６Ａと同様に、Ｗの文字付近７０Ａの濃い赤色の表示は、操作スイッチ類の表示部７６の他の部分とはっきり区別され、接触している操作スイッチを認知することができる。
【００５９】
よって、本実施形態では、複数の操作スイッチ類３２はカメラボディ１２の正面に設けられているので、カメラボディ１２の背面に大きな液晶モニター３４を確保することができる。また、撮影時においても、液晶モニター３４に表示されるスルー画像７８は小さくならないので、視認性を損なうことがない。
【００６０】
また、液晶モニター３４が設けられていないカメラボディ１２正面のスペースには、適切な大きさの操作スイッチ類３２を設けることができるので、操作スイッチ類３２の操作性が悪くならない。
【００６１】
さらに、液晶モニター３４を見ているときには直接見ることができないカメラボディ１２の正面に操作スイッチ類３２が設けられていても、その操作スイッチ類３２の配置が、操作スイッチ類の表示部７６として液晶モニター３４に表示されるので、事前に覚えていなくても操作スイッチ類３２の配置を把握して操作することができる。よって、操作性が向上し、誤操作を防止することができる。
【００６２】
また、接触している操作スイッチが、操作スイッチ類の表示部７６に強調して表示されるので、接触している操作スイッチが確実にわかる。よって、誤操作をさらに防ぐことができ、操作性がより向上する。
【００６３】
このように、本実施形態は、カメラの操作性を向上し、誤操作を防止できるものであり、特に、小型のカメラにおいて優れた効果を発揮するものである。
【００６４】
なお、本実施形態では、接触センサーとして静電式のタッチセンサーを用いたが、操作スイッチに軽く触れただけで、その接触を検知できるものであればよい。感圧式のセンサーを用いた場合、どの操作スイッチを触っているかの確認のための操作時に、通常の操作スイッチの操作をしてしまうことが危惧され、また、感温式のセンサーを用いた場合、カメラ自体の発熱やカメラを使用する環境の温度によって誤検知を起こしてしまうことが考えられるので、感圧式や感温式のセンサーでないものが望ましい。
【００６５】
また、操作スイッチ類３２は、タッチセンサーが検知するような、軽い接触程度では検知しないスイッチであれば、押しボタン式、スライド式等のどんなスイッチを用いても構わない。
【００６６】
また、操作スイッチ類の表示部７６の各操作スイッチの形状、模様、大きさ、配置や操作スイッチに付随して描かれている文字、記号等は、カメラボディ１２の正面に設けられている操作スイッチ類３２とほぼ同じように表示したが、操作スイッチ類３２同士の相対的な位置関係が把握でき、操作スイッチが特定できる程度に示されていればよく、対応する各操作スイッチの真裏に相当する液晶モニター上の位置からずらして表示しても構わない。例えば、モード選択スイッチ表示部６６のように、スイッチの形状は表示せずに、スイッチと同じ配置のＰ、Ｍ、Ｃの文字を並べて表示するようにしてもよい。操作スイッチ類の表示部７６が、操作スイッチ類３２と似て表示されているほど、より操作性を向上させることができる。
【００６７】
また、モード選択スイッチ表示部６６のＣの文字付近６６Ａやズームレバー表示部７０のＷの文字付近７０Ａを強調して表示するために濃い赤色としたが、操作スイッチ類の表示部７６の他の部分とはっきり区別され、接触した操作スイッチがどれであるかを認知できる表示方法であればよい。例えば、操作スイッチ類の表示部７６の強調して表示されない部分を薄い色や網掛けにしたり、強調して表示する部分を点滅させたり、反転表示させてもよい。
【００６８】
次に、本発明の第２の実施形態に係るデジタルカメラ８０とその作用及び効果について説明する。
【００６９】
第２の実施形態は、第１の実施形態の操作スイッチ類の表示部７６が、操作スイッチ類３２に触れた後に液晶モニター３４に表示されるものである。したがって、以下の説明において、第１の実施形態と同じ構成のものは、同符号を付すると共に、適宜省略して説明する。
【００７０】
本実施形態の構成は、第１の実施形態（図１〜３）と同様である。
【００７１】
図６に示すフローチャートを用いて、デジタルカメラ８０で実行される撮影及び画像再生処理を説明する。なお、説明をわかりやすくするために、モード選択スイッチ２２によって選ばれるのは、撮影モード又は再生モードとする。また、フローチャートは、モード選択スイッチ２２によってモードが選ばれるステップ８２から接触した操作スイッチが強調して表示されるステップ９４までについてのみ示し、その前後の処理については省略する。
【００７２】
まず、電源スイッチ２０の操作によって、デジタルカメラ８０に電源が入っている状態において、ＣＰＵ４６は、ステップ８２でモード選択スイッチ２２によってどのモードが選択されたかを判断する。そして、撮影モードが選択された場合には、図７（Ａ）に示すようにステップ８４で液晶モニター３４にスルー画像７８を表示し、再生モードが選択された場合には、ステップ８６で液晶モニター３４に再生画像を表示する。
【００７３】
次に、ステップ８８で、操作スイッチ類３２の表面に設けられたタッチセンサーから送られる検知信号によって、ＣＰＵ４６は、接触を受けている操作スイッチ類３２を確認し、接触を受けている操作スイッチがなければこの状態を維持する。そして、操作スイッチへの接触を検知した場合はステップ９０で、図７（Ｂ）に示すように、モード選択スイッチ２２、シャッタースイッチ２４、ズームレバー２６、再生ボタン２８、メニューボタン３０のそれぞれに対応した、モード選択スイッチ表示部６６、シャッタースイッチ表示部６８、ズームレバー表示部７０、再生ボタン表示部７２、メニューボタン表示部７４が、スルー画像７８又は再生画像にオーバーラップするように表示される。
【００７４】
次に、ステップ９２で、モード選択スイッチ表示部６６の選択されたモードが濃い赤色で強調して表示される。本実施形態の操作スイッチ類の表示部７６の色は、赤色や濃い配色にはなっていない。よって、選択されたモードの濃い赤色の表示は、操作スイッチ類の表示部７６の他の部分とはっきり区別され、選択されたモードを認知することができる。図７（Ｂ）は、モード選択スイッチ２２によって撮影モードが選ばれ、このモードに相当するモード選択スイッチ表示部６６のＣの文字付近６６Ａが赤色に強調して表示されている例を示している。液晶モニター３４には、ステップ８４によるスルー画像７８が表示されている。
【００７５】
次に、ステップ９４で、操作スイッチ類の表示部７６のうち、接触を受けた操作スイッチに対応する表示部を濃い赤色で強調して表示する。図７（Ｂ）は、ズームレバー２６によりズーム倍率を小さくするためにＷに触れたときに、ズームレバー表示部７０のＷの文字付近７０Ａが赤色に強調して表示されている例を示している。Ｗの文字付近７０Ａの濃い赤色の表示は、操作スイッチ類の表示部７６の他の部分とはっきり区別され、選択されたモードを認知することができる。
【００７６】
このように本実施形態では、第１の実施形態と同様の効果が得られ、また、操作スイッチ類３２に触れるまでは、操作スイッチ類の表示部７６に邪魔されずにスルー画像７８を見ることができ、視認性のよい状態で画枠を合わせる等の撮影準備作業を行うことができる。
【００７７】
次に、本発明の第３の実施形態に係るデジタルカメラ９６とその作用及び効果について説明する。
【００７８】
第３の実施形態は、第１の実施形態の操作スイッチ類の表示部７６が、撮影モードと再生モードとで異なるものである。したがって、以下の説明において、第１の実施形態と同じ構成のものは、同符号を付すると共に、適宜省略して説明する。
【００７９】
本実施形態の構成は、第１の実施形態（図１〜３）と同様である。
【００８０】
図８に示すフローチャートを用いて、デジタルカメラ９６で実行される撮影及び画像再生処理を説明する。なお、説明をわかりやすくするために、モード選択スイッチ２２によって選ばれるのは、撮影モード又は再生モードとする。また、フローチャートは、モード選択スイッチ２２によってモードが選ばれるステップ９８から接触した操作スイッチの表示部が強調して表示されるステップ１０８、１１８までについてのみ示し、その前後の処理については省略する。
【００８１】
まず、電源スイッチ２０の操作によって、デジタルカメラ９６に電源が入っている状態において、ＣＰＵ４６は、ステップ９８でモード選択スイッチ２２によってどのモードが選択されたかを判断する。そして、撮影モードが選択された場合には、ステップ１００で液晶モニター３４にスルー画像７８を表示する。
【００８２】
次に、ステップ１０２で、図９（Ａ）に示すように撮影に必要な操作スイッチ類のモード選択スイッチ２２、シャッタースイッチ２４、ズームレバー２６にそれぞれに対応した、モード選択スイッチ表示部６６、シャッタースイッチ表示部６８、ズームレバー表示部７０のみが操作スイッチ類の表示部１２０として、スルー画像７８にオーバーラップするように表示される。
【００８３】
次に、ステップ１０４で、モード選択スイッチ表示部６６の選択されたモードが濃い赤色で強調して表示される。本実施形態の操作スイッチ類の表示部１２０の色は、赤色や濃い配色にはなっていない。よって、選択されたモードの濃い赤色の表示は、操作スイッチ類の表示部１２０の他の部分とはっきり区別され、選択されたモードを認知することができる。図９（Ａ）は、モード選択スイッチ２２によって撮影モードが選ばれ、このモードに相当するモード選択スイッチ表示部６６のＣの文字付近６６Ａが赤色に強調して表示されている例を示している。液晶モニター３４には、ステップ１００によるスルー画像７８が表示されている。
【００８４】
次に、ステップ１０６で、操作スイッチ類３２の表面に設けられたタッチセンサーから送られる検知信号によって、ＣＰＵ４６は、接触を受けている操作スイッチ類３２を確認し、接触を受けている操作スイッチがなければこの状態を維持する。そして、操作スイッチへの接触を検知した場合はステップ１０８で、操作スイッチ類の表示部１２０のうち、接触を受けた操作スイッチに対応する表示部を濃い赤色で強調して表示する。この強調表示は、操作スイッチ類の表示部１２０の他の部分とはっきり区別され、選択されたモードを認知することができる
また、ステップ９８で再生モードが選択された場合には、ステップ１１０で液晶モニター３４に再生画像１２２を表示する。
【００８５】
次に、ステップ１１２で、図９（Ｂ）に示すように再生に必要な操作スイッチ類のモード選択スイッチ２２、再生ボタン２８、メニューボタン３０にそれぞれに対応した、モード選択スイッチ表示部６６、再生ボタン表示部７２、メニューボタン表示部７４のみが操作スイッチ類の表示部１２４として、再生画像１２２にオーバーラップするように表示される。
【００８６】
次に、ステップ１１４で、モード選択スイッチ表示部６６の選択されたモードが濃い赤色で強調して表示される。本実施形態の操作スイッチ類の表示部１２４の色は、赤色や濃い配色にはなっていない。よって、選択されたモードの濃い赤色の表示は、操作スイッチ類の表示部１２４の他の部分とはっきり区別され、選択されたモードを認知することができる。図９（Ｂ）は、モード選択スイッチ２２によって再生モードが選ばれ、このモードに相当するモード選択スイッチ表示部６６のＰの文字付近６６Ｂが赤色に強調して表示されている例を示している。液晶モニター３４には、ステップ１１０による再生画像１２２が表示されている。
【００８７】
次に、ステップ１１６で、操作スイッチ類３２の表面に設けられたタッチセンサーから送られる検知信号によって、ＣＰＵ４６は、接触を受けている操作スイッチ類３２を確認し、接触を受けている操作スイッチがなければこの状態を維持する。そして、操作スイッチへの接触を検知した場合はステップ１１８で、操作スイッチ類の表示部１２４のうち、接触を受けた操作スイッチに対応する表示部を濃い赤色で強調して表示する。この強調表示は、操作スイッチ類の表示部１２４の他の部分とはっきり区別され、選択されたモードを認知することができる。
【００８８】
このように本実施形態では、第１の実施形態と同様の効果が得られ、また、選択されたモード（撮影モード、又は再生モード）に応じた操作スイッチ類の表示部１２０、１２４を表示することができ、不要な操作スイッチは表示されないので、視認性や操作性が向上する。
【００８９】
次に、本発明の第４の実施形態に係るデジタルカメラ１２６とその作用及び効果について説明する。
【００９０】
第４の実施形態は、第３の実施形態の液晶モニター３４に表示される画像の大きさが、撮影モードと再生モードとで異なるものである。したがって、以下の説明において、第３の実施形態と同じ構成のものは、同符号を付すると共に、適宜省略して説明する。
【００９１】
本実施形態の構成は、第１の実施形態（図１〜３）と同様である。
【００９２】
図１０に示すフローチャートを用いて、デジタルカメラ１２６で実行される撮影及び画像再生処理を説明する。なお、説明をわかりやすくするために、モード選択スイッチ２２によって選ばれるのは、撮影モード又は再生モードとする。また、フローチャートは、モード選択スイッチ２２によってモードが選ばれるステップ１２８から接触した操作スイッチの表示部が強調して表示されるステップ１３８、１５０までについてのみ示し、その前後の処理については省略する。
【００９３】
まず、電源スイッチ２０の操作によって、デジタルカメラ１２６に電源が入っている状態において、ＣＰＵ４６は、ステップ１２８でモード選択スイッチ２２によってどのモードが選択されたかを判断する。そして、撮影モードが選択されていた場合には、ステップ１３０で液晶モニター３４にスルー画像７８を表示する。
【００９４】
以降のステップ１３２からステップ１３８は、第３の実施形態のステップ１０２からステップ１０８と同様である。
【００９５】
また、ステップ１２８で再生モードが選択された場合には、ステップ１４０で液晶モニター３４に再生画像１５２を表示する。この再生画像１５２は、スルー画像７８よりも縮小して表示され、後述する操作スイッチ類の表示部１２４と干渉しないように、左上に表示される。
【００９６】
次に、ステップ１４２で、図１１（Ｂ）に示すように再生に必要な操作スイッチ類のモード選択スイッチ２２、再生ボタン２８、メニューボタン３０にそれぞれに対応した、モード選択スイッチ表示部６６、再生ボタン表示部７２、メニューボタン表示部７４のみが操作スイッチ類の表示部１２４として表示される。
【００９７】
次に、ステップ１４４で、モード選択スイッチ表示部６６の選択されたモードが濃い赤色で強調して表示される。本実施形態の操作スイッチ類の表示部１２４の色は、赤色や濃い配色にはなっていない。よって、選択されたモードの濃い赤色の表示は、操作スイッチ類の表示部１２４の他の部分とはっきり区別され、選択されたモードを認知することができる。図１１（Ｂ）は、モード選択スイッチ２２によって再生モードが選ばれ、このモードに相当するモード選択スイッチ表示部６６のＰの文字付近６６Ｂが赤色に強調して表示されている例を示している。
【００９８】
次に、ステップ１４６で、液晶モニター３４上の再生画像１５２下方の空いているスペースに日付や時間等の再生画像１５２の付加情報１５４が表示される。
【００９９】
以降のステップ１４８、１５０は、第３の実施形態のステップ１１６、１１８と同様である。
【０１００】
このように本実施形態では、第３の実施形態と同様の効果が得られ、また、液晶モニター３４に表示される操作スイッチ類の表示部１２４に邪魔されずに再生画像１５２の全体を見ることができる。撮影時には画枠やピントを合わせるので、表示されるスルー画面７８は大きい方が望ましいが、再生時には画像全体を確認することが大事なので、再生画像１５２を縮小して表示し、画像全体を見えるようにすることが有効となる。
【０１０１】
また、切り替えスイッチを設けて、図１１（Ｂ）に示すような縮小された再生画像１５２と、図９（Ｂ）に示すような液晶モニター３４いっぱいに表示した再生画像１２２を自由に切り替えられるようにしてもよい。
【０１０２】
次に、本発明の第５の実施形態に係るデジタルカメラ１５６とその作用及び効果について説明する。
【０１０３】
第５の実施形態は、第１の実施形態のシャッタースイッチ２４を半押ししたときに、操作スイッチ類の表示部７６のうち、シャッタースイッチ表示部６８のみを液晶モニター３４に表示するものである。したがって、以下の説明において、第１の実施形態と同じ構成のものは、同符号を付すると共に、適宜省略して説明する。
【０１０４】
本実施形態の構成は、第１の実施形態（図１〜３）と同様である。
【０１０５】
図１２に示すフローチャートを用いて、デジタルカメラ１５６で実行される撮影及び画像再生処理を説明する。なお、説明をわかりやすくするために、モード選択スイッチ２２によって選ばれるのは、撮影モード又は再生モードとする。また、フローチャートは、モード選択スイッチ２２によってモードが選ばれるステップ１５８からシャッタースイッチ表示部６８が強調して表示されるステップ１７６までについてのみ示し、その前後の処理については省略する。
【０１０６】
まず、電源スイッチ２０の操作によって、デジタルカメラ１５６に電源が入っている状態において、ＣＰＵ４６は、ステップ１５８でモード選択スイッチ２２によってどのモードが選択されたかを判断する。そして、撮影モードが選択された場合には、ステップ１６０で液晶モニター３４にスルー画像７８を表示する。
【０１０７】
以降のステップ１６２からステップ１７０は、第１の実施形態のステップ５６からステップ６４と同様である。図１３（Ａ）は、ステップ１７０で、シャッタースイッチ２４が接触を受け、シャッタースイッチ表示部６８が強調して表示されている例を示している。
【０１０８】
次に、ステップ１７２で、ＣＰＵ４６はシャッタースイッチ２４から送られてくる検知信号により、シャッタースイッチ２４が半押し状態であるかどうかを確認し、半押し状態でなければこの状態を維持する。そして、半押し状態を検知した場合はステップ１７４で、シャッタースイッチ２４以外の操作スイッチ類３２の操作を無効にする。
【０１０９】
次に、図１３（Ｂ）に示すようにステップ１７６で、操作スイッチ類の表示部７６のうち、シャッタースイッチ表示部６８のみを表示する。
【０１１０】
このように本実施形態では、第１の実施形態と同様の効果が得られ、また、シャッタースイッチ２４を半押しした後の撮影操作には不要となるシャッタースイッチ表示部６８以外の操作スイッチ表示部が表示されない。よって、視認性がよくなり、画枠やピントを合わせやすくなるので、操作性が向上する。
【０１１１】
また、シャッタースイッチ２４以外の操作スイッチの機能が無効となるので、誤操作を防ぐことができる。
【０１１２】
次に、本発明の第６の実施形態に係るデジタルカメラ１７８について説明する。
【０１１３】
第６の実施形態は、第１の実施形態の沈胴式ズームレンズ１４を交換可能なレンズユニットとし、そのレンズユニットに操作スイッチ類を設けたものである。したがって、以下の説明において、第１の実施形態と同じ構成のものは、同符号を付すると共に、適宜省略して説明する。
【０１１４】
図１４には、本実施形態のデジタルカメラ１７８が示されている。デジタルカメラ１７８のカメラボディ１２の正面左上にはシャッタースイッチ２４が設けられており、その右隣にはストロボライト１６が備えられている。また、カメラボディ１２の上面左側には、撮影モードにおいて撮影方法を切り替えるダイヤルスイッチ１８が設けられ、その右隣には電源スイッチ２０が配置されている。
【０１１５】
ストロボライト１６の下方には凹部２０４が形成され、この凹部２０４に交換レンズユニット２００の後方端部が係合されてカメラボディ１２に装着される。
【０１１６】
交換レンズユニット２００はマクロレンズであり、このレンズの撮影時の操作や再生時に必要な操作スイッチ類２０６となるモード選択スイッチ２２、再生ボタン２８、マクロボタン２０２、メニューボタン３０が、交換レンズユニット２００の上面の前方から順に設けられている。マクロボタン２０２は、マクロ機能のオン又はオフの切り替え操作を行うためのスイッチである。
【０１１７】
シャッタースイッチ２４、モード選択スイッチ２２、再生ボタン２８、マクロボタン２０２、メニューボタン３０の表面には、接触センサーとして静電式のタッチセンサーが設けられている。
【０１１８】
また、交換レンズユニット２００の後方端部の係合外周面には、交換レンズユニット２００の種類を識別するための情報が書き込まれたメモリチップ２０８が取り付けられている。また、凹部２０４に交換レンズユニット２００の後方端部を係合した状態において、このメモリチップ２０８に対向するカメラボディ１２の位置に、メモリチップ２０８の情報を非接触で読み取る読取装置２１０が設けられている。読取装置２１０で読み取った情報は、ＣＰＵ４６に送られる。
【０１１９】
次に、本発明の第６の実施形態に係るデジタルカメラ１７８の作用及び効果について説明する。
【０１２０】
まず、交換レンズユニット２００をカメラボディ１２に装着し、電源スイッチ２０をオンにする。すると、読取装置２１０がメモリチップ２０８の情報を読み取り、この情報をＣＰＵ４６に送る。
【０１２１】
ＣＰＵ４６では、読取装置２１０からの情報により交換レンズユニット２００の種類を識別する。また、メモリ４８には、多種の交換レンズユニットに応じた操作スイッチ類の形状、模様、大きさ、配置や操作スイッチに付随して描かれる文字、記号等の情報が記憶されている。よって、図１５に示すように、ＣＰＵ４６が識別した交換レンズユニット２００の種類に応じた操作スイッチ類の表示部２１２の情報をメモリ４８から呼び出し、液晶モニター３４上のスルー画像又は再生画像にオーバーラップするように表示する。符号２１４は、マイクロボタン表示部である。
【０１２２】
そして、各操作スイッチに設けられたタッチセンサーの検知により、選択されたモードや接触した操作スイッチ類の表示部が強調して表示される。
【０１２３】
本実施形態では、メモリ４８に、操作スイッチ類の形状、模様、大きさ、配置や操作スイッチに付随して描かれる文字、記号等の情報を記録するようにしたが、メモリチップ２０８に記憶させるようにしてもよい。
【０１２４】
また、交換レンズユニット２００をマクロレンズとしたが、ズームレンズ等のさまざまな種類の交換レンズユニットに対して適用することができる。
【０１２５】
このように本実施形態では、複数の操作スイッチ類２０６は交換レンズユニット２００に設けられているので、カメラボディ１２の背面に大きな液晶モニター３４を確保することができる。また、撮影時においても、液晶モニター３４に表示されるスルー画像７８は小さくならないので、視認性を損なうことがない。
【０１２６】
また、液晶モニター３４が設けられていない交換レンズユニット２００には、適切な大きさの操作スイッチ類２０６を設けることができるので、操作スイッチの操作性が悪くならない。
【０１２７】
さらに、液晶モニター３４を見ているときには直接見ることができない交換レンズユニット２００に操作スイッチ類２０６が設けられていても、その操作スイッチ類２０６の配置が液晶モニター３４に表示されるので、事前に覚えていなくても操作スイッチ類２０６の配置を把握して操作することができる。よって、操作性が向上し、誤操作を防止することができる。
【０１２８】
また、交換レンズユニット２００の種類に応じた操作スイッチ類の表示部２１２を表示することができ、不要な操作スイッチ類は表示されないので、視認性や操作性が向上する。
【０１２９】
このように、本実施形態は、カメラの操作性を向上し、誤操作を防止できるものであり、特に、小型のカメラにおいて優れた効果を発揮するものである。
【０１３０】
また、本実施形態の変形例として、操作スイッチ類を交換ユニットレンズ２００に設けずに、多種の交換レンズユニットに対応可能な操作スイッチ類をカメラボディ１２の正面に設けることもできる。
【０１３１】
そして、メモリチップ２０８の情報により、装着された交換レンズユニットに対応した操作スイッチ類の表示部のみを液晶モニター３４に表示するようにすれば、多種の交換レンズユニットに対応可能となる。また、多くの操作スイッチ類がカメラボディ１２の正面に設けられていても、不要な操作スイッチ類の表示部は表示されないので、誤操作を防ぐことができ、操作性も悪くなることはない。
【０１３２】
第１〜第６の実施形態では、撮影モード及び再生モードについて示したが、動画モードにおいても本発明は適用可能である。
【０１３３】
また、第１〜第５の実施形態では、カメラボディ１２の正面に設けられた複数の操作スイッチ３２の配置を液晶モニター３４に表示した例について示したが、これに限るものではなく、カメラボディ１２の正面、上面、及び側面の少なくとも一方に複数の操作スイッチを設け、この複数の操作スイッチの一部又は全部の配置を液晶モニター３４に表示してもよい。
【０１３４】
例えば、ダイヤルスイッチ１８や電源スイッチ２０については、液晶モニター３４に表示させなかったが、これらのスイッチの表面にタッチセンサーを設け、図１６に示すようなダイヤルスイッチ表示部２１６を液晶モニター３４に表示させれば、さらに、操作性を向上させることができる。
【図面の簡単な説明】
【０１３５】
【図１】本発明の第１の実施形態に係るカメラを示す正面図である。
【図２】本発明の第１の実施形態に係るカメラを示す背面図である。
【図３】本発明の第１の実施形態に係るカメラの主な機能的構成を示すブロック図である。
【図４】本発明の第１の実施形態に係るカメラで実行される撮影及び画像再生処理を説明するフローチャートである。
【図５】本発明の第１の実施形態に係るカメラの液晶モニター表示の例を示す図である。
【図６】本発明の第２の実施形態に係るカメラで実行される撮影及び画像再生処理を説明するフローチャートである。
【図７】本発明の第２の実施形態に係るカメラの液晶モニター表示の例を示す図である。
【図８】本発明の第３の実施形態に係るカメラで実行される撮影及び画像再生処理を説明するフローチャートである。
【図９】本発明の第３の実施形態に係るカメラの液晶モニター表示の例を示す図である。
【図１０】本発明の第４の実施形態に係るカメラで実行される撮影及び画像再生処理を説明するフローチャートである。
【図１１】本発明の第４の実施形態に係るカメラの液晶モニター表示の例を示す図である。
【図１２】本発明の第５の実施形態に係るカメラで実行される撮影及び画像再生処理を説明するフローチャートである。
【図１３】本発明の第５の実施形態に係るカメラの液晶モニター表示の例を示す図である。
【図１４】本発明の第６の実施形態に係るカメラを示す斜視図である。
【図１５】本発明の第６の実施形態に係るカメラの液晶モニター表示の例を示す図である。
【図１６】本発明の実施形態に係るカメラの操作スイッチ表示の例を示す図である。
【図１７】従来のカメラを示す説明図である。
【図１８】従来のカメラを示す説明図である。
【図１９】従来のカメラを示す説明図である。
【図２０】従来のカメラを示す説明図である。
【符号の説明】
【０１３６】
１０    デジタルカメラ（カメラ）
１２    カメラボディ
１４    沈胴式ズームレンズ（レンズ鏡筒）
１８    ダイヤルスイッチ（操作スイッチ）
２０    電源スイッチ（操作スイッチ）
３２    操作スイッチ類（操作スイッチ）
３４    液晶モニター（表示部）
７８    スルー画像
８０    デジタルカメラ（カメラ）
９６    デジタルカメラ（カメラ）
１２２  再生画像
１２６  デジタルカメラ（カメラ）
１５２  再生画像
１５６  デジタルカメラ（カメラ）
１７８  デジタルカメラ（カメラ）
２００  交換レンズユニット（レンズ鏡筒）
２０６  操作スイッチ類（操作スイッチ）
【図１】
2007221384.tif 000003
【図２】
2007221384.tif 000004
【図３】
2007221384.tif 000005
【図４】
2007221384.tif 000006
【図５】
2007221384.tif 000007
【図６】
2007221384.tif 000008
【図７】
2007221384.tif 000009
【図８】
2007221384.tif 000010
【図９】
2007221384.tif 000011
【図１０】
2007221384.tif 000012
【図１１】
2007221384.tif 000013
【図１２】
2007221384.tif 000014
【図１３】
2007221384.tif 000015
【図１４】
2007221384.tif 000016
【図１５】
2007221384.tif 000017
【図１６】
2007221384.tif 000018
【図１７】
2007221384.tif 000019
【図１８】
2007221384.tif 000020
【図１９】
2007221384.tif 000021
【図２０】
2007221384.tif 000022